(57)【特許請求の範囲】
【請求項１】
横方向に細長い板状のものとして上縁は前面から後面へと次第に下降する傾斜面とした支持片（１）と、支持片（１）の横幅とほぼ同じ長さの横幅として下縁を支持片（１）の上縁の傾斜面と一致する傾斜面とし、棚・台・帽子掛け・フック等を取り付けることができるようにして軟質材で製作した取付片（７）とを備え、外周に垂直方向のぎざぎざを付け硬質材で製作した固定片（５）を支持片（１）の上縁から垂直上方へ設けて固定片（５）に対応する位置において固定片（５）が食い込む大きさの穴（８）を取付片（７）の下縁から垂直上方へ設けた壁等取付け部材。
【請求項２】
横方向に細長い板状のものとして上縁は前面から後面へと次第に下降する傾斜面とし軟質材で製作した支持片（１）と、支持片（１）の横幅とほぼ同じ長さの横幅として下縁を支持片（１）の上縁の傾斜面と一致する傾斜面とし、棚・台・帽子掛け・フック等を取り付けることができるようにした取付片（７）とを備え、外周に垂直方向のぎざぎざを付け硬質材で製作した固定片（５）を取付片（７）の下縁から垂直下方へ設けて固定片（５）に対応する位置において固定片（５）が食い込む大きさの穴（８）を支持片（１）の上縁から垂直下方へ設けた壁等取付け部材。
【請求項３】
壁面等へ木ねじをねじ込んだりするための穴を支持片（１）にあけたことを特徴とする、請求項１又は２に記載の壁等取付け部材。
【発明の詳細な説明】
【０００１】
【発明の属する技術分野】
本発明は、壁面等に着脱自在に取り付けることができる取付け部材に関するものである。この取付け部材には棚・台・帽子掛け・フック等を設けている。
【０００２】
【従来の技術】
従来の壁等取付け部材としては、例えば実用新案登録第３０５８５３９号公報に１実施例として記載されたものが知られている。すなわち、この壁等取付け部材は支持片と掛け部材とからなるものとしている。支持片は縦長の方形とし全体をありの構造に形成している。掛け部材の下方部には支持片がはまるくぼみを設け、支持片がちょうどはまるあり溝をくぼみの上方に設けている。掛け部材に棚・台・帽子掛け・フック等を取り付ける。壁面等に支持片を縦方向に取り付け、掛け部材のくぼみに支持片をはめた状態にした後に掛け部材を下にずらせ、支持片をあり溝にはめた状態にすると、取付けが完了する。。
【０００３】
【発明が解決しようとする課題】
前記従来の壁等取付け部材には次のような欠点があった。まず、掛け部材に取り付けた棚等に載せた物・掛けた物等を持ち上げるなどするとき掛け部材を持ち上げる力が働いて支持片のありから掛け部材のあり溝が外れ、掛け部材が外れてしまうことがあった。また、掛け部材が横に長い場合は利用しにくかった。掛け部材・支持片の機構の二つを横長の台等の左右に設ければよいが、位置決めがきわめて難しくて時間も取られた。
【０００４】
本発明が解決しようとする課題は、外れにくく横長の台等をも取り付けることができる壁等取付け部材を提供する点にある。
【０００５】
【課題を解決するための手段】
請求項１に係る壁等取付け部材は、横方向に細長い板状のものとして上縁は前面から後面へと次第に下降する傾斜面とした支持片１と、支持片１の横幅とほぼ同じ長さの横幅として下縁を支持片１の上縁の傾斜面と一致する傾斜面とし、棚・台・帽子掛け・フック等を取り付けることができるようにして軟質材で製作した取付片７とを備え、外周に垂直方向のぎざぎざを付け硬質材で製作した固定片５を支持片１の上縁から垂直上方へ設けて固定片５に対応する位置において固定片５が食い込む大きさの穴８を取付片７の下縁から垂直上方へ設けたものである。
【０００６】
請求項２に係る壁等取付け部材は、横方向に細長い板状のものとして上縁は前面から後面へと次第に下降する傾斜面とし軟質材で製作した支持片１と、支持片１の横幅とほぼ同じ長さの横幅として下縁を支持片１の上縁の傾斜面と一致する傾斜面とし、棚・台・帽子掛け・フック等を取り付けることができるようにした取付片７とを備え、外周に垂直方向のぎざぎざを付け硬質材で製作した固定片５を取付片７の下縁から垂直下方へ設けて固定片５に対応する位置において固定片５が食い込む大きさの穴８を支持片１の上縁から垂直下方へ設けたものである。
【０００７】
請求項３に係る壁等取付け部材は、請求項１又は２のものにおいて、壁面等へ木ねじをねじ込んだりするための穴を支持片１にあけたことを特徴とするものである。
【０００８】
硬質材とは硬質樹脂・硬質木材等を意味し、軟質材とは木材・合成木材等を意味する。硬質材で製作した固定片５を軟質材で製作した支持片１又は取付片７の穴８へ押し込むとき、固定片５が食い込むことができるものならどのような硬質材・軟質材でもよい。
【０００９】
【発明の実施の形態】
本発明の実施の形態を図１〜図８に基づいて説明する。まず、図１〜図８に基づき支持片１について説明する。図２は支持片１の正面図、図３は支持片１の裏面図である。支持片１は横長の長方形のものとし、木・合成木材・合成樹脂・金属等で構成する。木ねじ等をねじ込む等をするためのａ穴２・ｂ穴３・ｃ穴４を左右で対称にしてそれぞれ設けている。中央のａ穴２は、図２のＡ−Ａ断面図を含む図１が示すように真っすぐにあけている。外側のｂ穴３は、図２のＢ−Ｂ断面図である図４が示すように上向きにあけている。内側のｃ穴４は、図２のＣ−Ｃ断面図である図５が示すように下向きにあけている。支持片１の上縁は、図４・図５等が示すように表面側から裏面側へ向けて下降する傾斜面としている。支持片１の左右には傾斜面から垂直上方へ向けて固定片５をそれぞれ埋め込んでいる。固定片５は硬質樹脂・硬質木材等の硬質材で製作し、外周には縦方向のぎざぎざを設けてある。図６は図４のＸ−Ｘ断面拡大図である。
【００１０】
図１・図７が示すように、４枚の側板６を方形に組み立てて棚としたものを用意している。組立て易いように側板６と支持片１の間には隙間ｓができる寸法になっている。棚の一番奥の上部に取付片７を接着等で取り付けている。取付片７はＭＤＦ（ｍｅｄｉｕｍ  ｄｅｎｓｉｔｙ  ｆｉｂｅｒ  ｂｏａｒｄ：中密度繊維板：乾燥した木材を細かく繊維状にしたものを結合剤で熱圧成形した板）製の軟質材を用いた。取付片７は支持片１と同じ厚さとし、取付片７の下縁は支持片１の上縁の傾斜角度と同じ傾斜角度で傾斜するものとしている。そして、支持片１の２本の固定片５に対応する位置において下縁から垂直上方へ固定片５がはまる穴８をそれぞれあけているが、それらの穴８は固定片５の直径よりやや小径のものとしている。取付片７の表面に密着する位置において各側板６の内部に浅い溝を掘り、溝にちょうどはまる厚さとした背板９の外周を各溝にはめて棚内に背板９を取り付けている。なお、背板９は４枚の側板６を組み立てる際に取り付けるのである。実施例としてＭＤＦを用いたが、そのほか、固定片５のぎざぎざが穴８にしっかり食い込むような材質を用いることができる。
【００１１】
以上に示したものは、次のようにして使用する。例えば木製の壁等に取り付ける場合は、図１に示すように所定の位置において支持片１を壁面等に水平にして押し当て、二つのａ穴２から壁面等へと木ねじ１０をねじ込んで支持片１を取り付ける。それから、図８・図１に示すように、棚を持って支持片１の上方から取付片７を押し下げていく。支持片１の両固定片５が取付片７の二つの穴８に食い込んでいく。最後には、図１に示すように支持片１の上縁に取付片５の下縁がぴたりと密着し、棚の取付けが完了する。支持片１の両側には側板６との間にわずかな隙間ｓがあるため、取付け作業はスムースに行える。取付け後は固定片５が取付片７の穴８に食い込んでいるため、安定した取付け状態となる。少しくらいの上方への外力が働いても、棚が外れることはない。
【００１２】
例えば石膏ボードの壁等に取り付ける場合は、図４・図５に示すように、ｂ穴３・ｃ穴４から上下方向斜めにねじ１１をそれぞれねじ込んで支持片１を壁面等へ取り付ける。
【００１３】
実施例は箱物について説明したが、棚・台等にも適用可能である。
【００１４】
【発明の効果】
▲１▼  取付片７の穴８は固定片５に設けたぎざぎざの外径よりやや小径のため、ぎざぎざが取付片７の穴８にしっかりと食い込んでいるので、箱等を上方向へ動かそうとする外力が少しくらい加わっても、取付片７が固定片５から離脱するおそれはない。
▲２▼  取付片７を壁ｗに押し当てながら箱等を下方へ移動させ、固定片５の先端が取付片７の穴８に引掛かったところで、力を入れて下方へ引くと固定片５のぎざぎざが穴８に食い込むので、取付作業が簡単である。
▲３▼  箱等を多数用意することにより、左右上下方向に連設することができるので、広い収納スペースを簡単に得ることができる。
▲４▼  支持片１と取付片７が外部から見えないから美麗な外観を保つ。
【図面の簡単な説明】
【図１】本発明の実施の形態を示す縦断面図である。
【図２】その実施の形態の要部を示す正面図である。
【図３】図２のものの裏面図である。
【図４】図２のＢ−Ｂ断面図である。
【図５】図２のＣ−Ｃ断面図である。
【図６】図４のＸ−Ｘ断面拡大図である。
【図７】図１のものの正面図である。
【図８】前記実施の形態を示す部分切欠き縦断面図である。
【符号の説明】
１  支持片
５  固定片
７  取付片
８  穴
【図１】
0004047032.tif 000002
【図２】
0004047032.tif 000003
【図３】
0004047032.tif 000004
【図４】
0004047032.tif 000005
【図５】
0004047032.tif 000006
【図６】
0004047032.tif 000007
【図７】
0004047032.tif 000008
【図８】
0004047032.tif 000009